(57)【特許請求の範囲】
【請求項１】
構造物の表面に防水シートを施工するための防水施工パネルであって、
前記構造物の表面に裏面が対向する状態で機械的固定工法によって固定される平板状のパネル本体と、
前記構造物の表面に固定される前記パネル本体の表面に粘着剤と接着剤との少なくとも一方で形成されていて前記防水シートが固着されるシート固定層と、
を有する防水施工パネル。
【請求項２】
前記パネル本体は、前記構造物の立上りの表面に裏面が対向する状態で機械的固定工法によって固定され、
前記シート固定層は、前記立上りの表面に固定される前記パネル本体の表面に粘着剤と接着剤との少なくとも一方で形成されていて前記防水シートが固着される請求項１に記載の防水施工パネル。
【請求項３】
前記シート固定層の表面に離型紙と離型フィルムと離型シートとの少なくとも一つが着脱自在に貼着されている請求項１または２に記載の防水施工パネル。
【請求項４】
前記離型紙と離型フィルムと離型シートとの少なくとも一つが防水性と耐候性との少なくとも一方を有する請求項３に記載の防水施工パネル。
【請求項５】
表面に防水シートが接合される構造物であって、
前記表面に裏面が対向する状態で請求項１ないし４の何れか一項に記載の防水施工パネルが前記機械的固定工法によって固定されており、
前記表面に固定された前記パネル本体の表面のシート固定層に前記防水シートが固着されている構造物。
【請求項６】
前記防水施工パネルが前記構造物の立上りの表面に裏面が対向する状態で前記機械的固定工法によって固定されており、
前記防水シートが前記立上りの表面に固定された前記パネル本体の表面のシート固定層に固着されている請求項５に記載の構造物。
【請求項７】
前記防水施工パネルで前記防水シートが表面に装着された前記立上りの上縁部に、前記防水シートを固定する固定具を打設し、この固定具に前記防水シートを固着させて固定する請求項５または６に記載の構造物。
【請求項８】
構造物の表面に防水シートを施工するシート施工方法であって、
前記構造物の表面に裏面が対向する状態で請求項１ないし４の何れか一項に記載の防水施工パネルを前記機械的固定工法によって固定し、
前記構造物の表面に固定された前記パネル本体の表面のシート固定層に前記防水シートを固着させるシート施工方法。
【請求項９】
構造物の表面に防水シートを施工するシート施工方法であって、
前記構造物の表面に裏面が対向する状態で請求項３または４に記載の防水施工パネルを前記機械的固定工法によって固定し、
前記構造物の表面に固定された前記パネル本体の表面のシート固定層から前記離型紙と離型フィルムと離型シートとの少なくとも一つを剥離させ、
前記離型紙と離型フィルムと離型シートとの少なくとも一つが剥離された前記パネル本体の表面のシート固定層に前記防水シートを固着させるシート施工方法。
【請求項１０】
前記防水施工パネルを前記構造物の立上りの表面に裏面が対向する状態で前記機械的固定工法によって固定し、
前記防水シートを前記立上りの表面に固定された前記パネル本体の表面のシート固定層に固着させる請求項８または９に記載のシート施工方法。
【請求項１１】
前記防水施工パネルで前記防水シートが表面に装着された前記立上りの上縁部に、前記防水シートを固定する固定具を打設し、この固定具に前記防水シートを固着させて固定する請求項８ないし１０の何れか一項に記載のシート施工方法。
【発明の詳細な説明】
【技術分野】
【０００１】
本発明は、構造物の立上りに固定されて防水シートが装着される防水施工パネル、この防水施工パネルで防水シートが装着された構造物、構造物の立上りに防水施工パネルで防水シートを装着するシート施工方法、に関する。
【背景技術】
【０００２】
従来、構造物の被防水施工面には、防水シートと同材質の樹脂被覆面やホットメルト系接着剤塗布面を有する平面円形の固定金具を複数配置し、それらを固定アンカーにより固定し、その上から防水シートなどの防水シートを設け、固定金具と防水シートを接着、溶着、または高周波誘導加熱による熱融着により、接合してなされる機械的固定工法や、防水施工面や防水シートの裏面に直接接着剤を塗布し、防水シートを接合してなる接着工法がシート防水施工法として採用されている。
【０００３】
立上り壁部位でも同様に、機械的固定工法や接着工法が採用されているが、工法の簡便さから主に接着工法が採用されている。現在、上述のような防水施工方法として各種の提案がある（特許文献１）。
【先行技術文献】
【特許文献】
【０００４】
【特許文献１】特開平６−３０７０３２号公報
【発明の概要】
【発明が解決しようとする課題】
【０００５】
しかし、立上り壁部位を接着工法で行う施工では、現場にて接着剤を計量し、立上りおよび防水シートに接着剤を塗布し、オープンタイムをおいて防水シートを構造物の立上りに貼着する。
【０００６】
このため、当日の天候だけではなく、前日が雨天だった場合でも、下地が十分に乾燥していないと施工に入れず、工数が非常にかかってしまう。また接着剤の塗布状況で接着強度が変わる恐れがあり、接着剤が下方に流出する場合もある。さらに、接着剤の塗布ムラが発生することにより、接着強度が変わることもある。
【０００７】
本発明は上述のような課題に鑑みてなされたものであり、下地が十分に乾燥していなくとも防水シートを施工することができ、工数を大幅に削減することができる防水施工パネル、この防水施工パネルで防水シートを立上りの表面に装着した構造物、防水施工パネルを利用して立上りの表面に防水シートを装着するシート施工方法、を提供するものである。
【課題を解決するための手段】
【０００８】
本発明の防水施工パネルは、構造物の表面に防水シートを施工するための防水施工パネルであって、構造物の表面に裏面が対向する状態で機械的固定工法によって固定される平板状のパネル本体と、構造物の表面に固定されるパネル本体の表面に粘着剤と接着剤との少なくとも一方で形成されていて防水シートが固着されるシート固定層と、を有する。
【０００９】
従って、本発明の防水施工パネルでは、平板状のパネル本体が構造物の表面に機械的固定工法によって固定され、この固定されたパネル本体の表面の粘着剤と接着剤との少なくとも一方からなるシート固定層に防水シートが固着される。
【００１０】
また、上述のような防水施工パネルにおいて、パネル本体は、構造物の立上りの表面に裏面が対向する状態で機械的固定工法によって固定され、シート固定層は、立上りの表面に固定されるパネル本体の表面に粘着剤と接着剤との少なくとも一方で形成されていて防水シートが固着されてもよい。この場合、防水施工パネルが構造物の立上りの表面に装着され、その表面にシート固定層が位置することになる。
【００１１】
また、上述のような防水施工パネルにおいて、シート固定層の表面に離型紙と離型フィルムと離型シートとの少なくとも一つが着脱自在に貼着されていてもよい。この場合、防水施工パネルの取り扱いが容易となり、シート固定層を簡単に露出させることができる。
【００１２】
また、上述のような防水施工パネルにおいて、離型紙と離型フィルムと離型シートとの少なくとも一つが防水性と耐候性との少なくとも一方を有してもよい。この場合、構造物に防水施工パネルを装着した状態で降雨などがあっても、シート固定層の性能が劣化しない。
【００１３】
本発明の構造物は、構造物の表面に防水シートが接合される構造物であって、構造物の表面に裏面が対向する状態で本発明の防水施工パネルが機械的固定工法によって固定されており、構造物の表面に固定されたパネル本体の表面のシート固定層に防水シートが固着されている。
【００１４】
従って、本発明の構造物では、現場で構造物の表面に接着剤を塗布することなく、構造物の表面に機械的固定工法によって固定されている防水施工パネルのシート固定層に防水シートが固着されている。
【００１５】
また、上述のような構造物において、防水施工パネルが構造物の立上りの表面に裏面が対向する状態で機械的固定工法によって固定されており、防水シートが立上りの表面に固定されたパネル本体の表面のシート固定層に固着されていてもよい。この場合、構造物の立上りの表面に接着剤を使用することなく防水施工パネルで防水シートが施工される。
【００１６】
また、上述のような構造物において、防水施工パネルで防水シートが表面に装着された立上りの上縁部に、防水シートを固定する固定具を打設し、この固定具に防水シートを固着させて固定してもよい。この場合、機械的固定工法で構造物の立上りに固定されない防水施工パネルの上縁部が固定される。
【００１７】
本発明の第一のシート施工方法は、構造物の表面に防水シートを施工するシート施工方法であって、構造物の表面に裏面が対向する状態で本発明の防水施工パネルを機械的固定工法によって固定し、構造物の表面に固定されたパネル本体の表面のシート固定層に防水シートを固着させる。
【００１８】
従って、本発明のシート施工方法では、現場で構造物の表面に接着剤を塗布することなく、構造物の表面に機械的固定工法で防水施工パネルが固定され、そのシート固定層に防水シートが固着される。
【００１９】
本発明の第二のシート施工方法は、構造物の表面に防水シートを施工するシート施工方法であって、構造物の表面に裏面が対向する状態で本発明の防水施工パネルを機械的固定工法によって固定し、構造物の表面に固定されたパネル本体の表面のシート固定層から離型紙と離型フィルムと離型シートとの少なくとも一つを剥離させ、離型紙と離型フィルムと離型シートとの少なくとも一つが剥離されたパネル本体の表面のシート固定層に防水シートを固着させる。
【００２０】
従って、本発明のシート施工方法では、現場で構造物の表面に接着剤を塗布することなく、構造物の表面に機械的固定工法で防水施工パネルが固定され、この防水施工パネルから離型紙と離型フィルムと離型シートとの少なくとも一つが剥離されてシート固定層が露出され、この露出したシート固定層に防水シートが固着される。
【００２１】
また、上述のようなシート施工方法において、防水施工パネルを構造物の立上りの表面に裏面が対向する状態で機械的固定工法によって固定し、防水シートを立上りの表面に固定されたパネル本体の表面のシート固定層に固着させてもよい。この場合、構造物の立上りの表面に防水シートが施工される。
【００２２】
また、上述のようなシート施工方法において、防水施工パネルで防水シートが表面に装着された立上りの上縁部に、防水シートを固定する固定具を打設し、この固定具に防水シートを固着させて固定してもよい。この場合、機械的固定工法で構造物の立上りに固定されない防水施工パネルの上縁部が固定される。また、笠木を装着してもよい。
【発明の効果】
【００２３】
本発明の防水施工パネルでは、平板状のパネル本体が構造物の表面に機械的固定工法によって固定され、この固定されたパネル本体の表面の粘着剤と接着剤との少なくとも一方からなるシート固定層に防水シートが固着される。このため、当日の天候だけではなく、前日が雨天だった場合でも、下地が十分に乾燥していなくとも構造物の表面に防水シートを施工することができ、その工数を大幅に削減することができる。しかも、接着剤を現場で構造物の表面に塗布する必要がないので、例えば、立上りの表面に塗布した接着剤が下方に流出するようなこともなく、防水シートの接着強度を一定にすることができる。
【図面の簡単な説明】
【００２４】
【図１】本発明の実施の形態の防水施工パネルの外観を示す斜視図である。
【図２】立上りがある構造物を示す斜視図である。
【図３】構造物の立上りに防水施工パネルが装着される状態を示す分解斜視図である。
【図４】立上りに固定された防水施工パネルから離型紙と離型フィルムと離型シートとの一つである離型シートが取り外される状態を示す分解斜視図である。
【図５】立上りに固定されて離型紙と離型フィルムと離型シートとの一つである離型シートが取り外された防水施工パネルに防水シートが装着される状態を示す斜視図である。
【図６】防水施工パネルで防水シートが装着された立上りの上縁部に笠木が装着される状態を示す分解斜視図である。
【図７】構造物の上面にも防水シートが施工された状態を示す断面図である。
【発明を実施するための形態】
【００２５】
本発明の実施の一形態について図面を参照して以下に説明する。本実施の形態の防水施工パネル１００は、図２ないし図６に示す構造物２００の立上り２１０の表面２１１に防水シート１４０を施工するために利用される。
【００２６】
このため、防水施工パネル１００は、図１に示すように、構造物２００の表面２１１に裏面が対向する状態で機械的固定工法によって固定される平板状のパネル本体１１０と、構造物２００の表面２１１に固定されるパネル本体１１０の表面に粘着剤で形成されていて防水シート１４０が固着されるシート固定層１２０と、を有する。
【００２７】
より具体的には、パネル本体１１０は、構造物２００の立上り２１０の表面２１１に裏面が対向する状態で機械的固定工法によって固定され、シート固定層１２０は、構造物２００の立上り２１０の表面２１１に固定されるパネル本体１１０の表面に形成されていて防水シート１４０が固着される。
【００２８】
なお、シート固定層１２０の表面には離型紙と離型フィルムと離型シートとの一つである離型シート１３０が着脱自在に貼着されており、この離型シート１３０が防水性または耐候性を有してもよい。
【００２９】
離型紙、離型フィルム、離型シート１３０は、一般的な製品でよく、例えば、離型紙としては、半晒、上質紙、グラシン紙に、離型フィルム、離型シートとしては、ポリエチレン、ポリプロピレン、ポリエチレンテレフタレート、ポリブチレンテレフタレート、ポリイミド、ポリカーボネート、ポリスチレン、セロファンを基材として、剥離層としてシリコン系、長鎖アルキル系、ワックス系、フッ素系の樹脂が積層されているもの、等が挙げられるが、これらに限定されるものではない。
【００３０】
パネル本体１１０は、例えば、可撓性を有する合成樹脂板であれば、特に限定されないが、ポリカーボネート、ポリエチレン、ポオリプロチレン、ポリエチレンテレフタレート、ポリブチレンテレフタレート、ポリイミド、ポリスチレン、変性エポキシ樹脂、変性フェノール樹脂、変性ウレタン樹脂、などが挙げられる。
【００３１】
シート固定層１２０は、例えば、粘着剤としては、ゴム系樹脂、アクリル系樹脂が挙げられる。さらにゴム系樹脂には、天然ゴム、イソプレンゴム、スチレン・ブタジエンゴム、スチレン・ブタジエンブロック共重合体、スチレン・イソプレンブロック共重合体、ブチルゴム、ニトリルゴム、ポリイソブチレン、アクリルゴム、ウレタンゴム、シリコンゴム、クロロプレンゴムなどが挙げられる。またアクリル系樹脂にはエチル（メタ）アクリレート、ブチル（メタ）アクリレート、２−エチルヘキシル（メタ）アクリレートなどが挙げられるがこれに限らない。またシリコン樹脂系、ウレタン樹脂系の粘着剤も用いることができる。
【００３２】
また、シート固定層１２０は、例えば、接着剤としては、ポリアミド樹脂、ポリウレタン樹脂、ポリエチレン樹脂、ポリプロピレン樹脂、エチレン酢酸ビニル樹脂などが挙げられる。
【００３３】
また、シート固定層１２０の接着剤として、ホットメルト接着剤を利用することもできる。この場合、溶融させる熱源(IH発信機等)が必要になる。施工方法としては、ホットメルト接着剤を防水施工パネル１００に積層をしたものを用意し、防水シート１４０を防水施工パネル１００のシート固定層１２０に固着していく。
【００３４】
この時、ホットメルト接着剤ならば、タック性がないものを使用すれば離型シート１３０に該当するものは必要なくなるので、無駄なゴミを削減することができる。固着する際には、防水シート１４０を防水施工パネル１００に押しつけながら、所定の熱源でホットメルト接着剤を溶融させ、防水シート１４０と固着させればよい。
【００３５】
防水シート１４０は、例えば、熱可塑性樹脂からなるものであり、ポリエチレン、ポリプロピレンなどのポリオレフィン系樹脂からなるもの、ポリ塩化ビニル樹脂からなるものを挙げることができる。例えば層厚は、耐候性、防水性、取り扱いのしやすさなどの観点から、１．０〜４．０ｍｍが望ましい。なお、防水シート１４０としては単独の合成樹脂からなる均質シートの他に、複数の合成樹脂が積層形成された複合シートや、中間に補強層などが介装された複合シートも用いることができる。
【００３６】
シート固定層１２０の粘着剤としては、粘着力の観点からは、ブチルゴム、ニトリルゴム、アクリルゴムが好ましく、接着剤としては、接着力の観点からエチレン酢酸ビニル系接着剤が望ましいが、これに制限されることはない。
【００３７】
ここで、本実施の形態の防水施工パネル１００を利用して、構造物２００の立上り２１０の表面２１１に防水シート１４０を装着するシート施工方法を、以下に順番に説明する。
【００３８】
まず、図２に示すように、施工対象として構造物２００に立上り２１０があるとする。構造物２００は、例えば、ビルの屋上などであり、立上り２１０は、構造物２００の上面から垂直に側壁として立設されている。
【００３９】
この場合、図３に示すように、機械的固定工法と同様に、円盤状の一対のディスク部材３１０と一対の固定ビス３２０との機械的固定工法により、複数の防水施工パネル１００を立上り２１０の表面２１１に順番に配列させて固定する。このため、防水施工パネル１００は事前に立上り２１０と同一の高さに形成されている。
【００４０】
なお、ここで云う機械的固定方法とは、接着剤や粘着剤を使用することなく、ディスク部材３１０や固定ビス３２０で部材を固定する工法である。ただし、大径のディスク部材３１０を使用することなく小径のワッシャ(図示せず)を使用することもでき、ディスク部材３１０やワッシャを使用することなく固定ビス３２０のみで固定することもできる。
【００４１】
このとき、立上り２１０の表面２１１と防水施工パネル１００の裏面とが対向するようにすることで、立上り２１０に固定された防水施工パネル１００のシート固定層１２０が表面に位置するようにする。
【００４２】
このような状態で、図４に示すように、立上り２１０に機械的固定工法によって固定された防水施工パネル１００の表面から離型シート１３０を取り外してシート固定層１２０を露出させる。つぎに、例えば、図５に示すように、ロール状に巻回されている防水シート１４０を、防水施工パネル１００の露出されたシート固定層１２０に固着させる。
【００４３】
最後に、図６に示すように、防水施工パネル１００で防水シート１４０が表面に装着された立上り２１０の上縁部に、例えば、断面形状がコ字型の笠木１５０を装着する。なお、この笠木１５０としては断面形状がコ字型に限定されず、各種形状が利用される。
【００４４】
そして、図７に示すように、構造物２００の上面（平場）には別個の防水シート１６０が敷設される。この上面の防水シート１６０と立上りの防水シート１４０との間の防水は、例えば、Ｌ字型の断面形状の防水部材を下地に固定し、図示するように、防水シート１４０，１６０同士を重複させ、溶剤を用いて溶着することや、シーリング剤を用いて接着すること、熱源を用いて融着することなどで実施される。
【００４５】
またＬ字型の断面形状の防水材を用いず、板状の防水部材を下地に固定し防水シート１４０、１６０同士を溶剤を用いて溶着する方法や、シーリング剤を用いて接着することや、シーリング剤を用いて接着すること、熱源を用いて融着することなどで実施される。
【００４６】
上述のようなシート施工方法により、構造物２００は、立上り２１０の表面２１１に裏面が対向する状態で防水施工パネル１００が機械的固定工法によって固定されており、立上り２１０の表面２１１に固定されたパネル本体１１０の表面のシート固定層１２０に防水シート１４０が固着されている状態となる。
【００４７】
本実施の形態の防水施工パネル１００を利用したシート施工方法では、上述のように防水施工パネル１００を構造物２００の立上り２１０に機械的固定工法によって固定するので、降雨や湿気などの影響を受けることなく、防水施工パネル１００を立上り２１０に固定することができる。
【００４８】
そして、このように立上り２１０に固定した防水施工パネル１００の粘着剤からなるシート固定層１２０に防水シート１４０を固着させるので、現場で接着剤を立上り２１０の表面２１１に塗布する必要がない。
【００４９】
このため、垂直な立上り２１０の表面２１１に塗布された接着剤が流出するようなこともなく、接着剤の塗布ムラなどが発生することもない。そして、湿気などの影響を受けることもなく、シート固定層１２０の一定の接着強度で防水シート１４０を立上り２１０に施工することができる。
【００５０】
しかも、本実施の形態の防水施工パネル１００は、離型シート１３０が防水性または耐候性を有していてもよい。このため、構造物２００の立上り２１０の表面２１１に防水施工パネル１００をディスク部材３１０および固定ビス３２０で機械的固定工法により固定した状態で、例えば、降雨により作業を一時中止するような場合でも、シート固定層１２０の接着強度が劣化することがない。
【００５１】
なお、本発明は本実施の形態に限定されるものではなく、その要旨を逸脱しない範囲で各種の変形を許容する。例えば、上記形態では防水施工パネル１００に離型シート１３０が着脱自在に貼着されていることを例示した。
【００５２】
しかし、これが離型紙や離型フィルムでもよい。また、上記形態では離型シート１３０が防水性や耐候性を有することを想定したが、これがない離型シートや離型紙や離型フィルムを使用してもよい。
【００５３】
さらに、上記形態では防水施工パネル１００で防水シート１４０が表面に装着された立上り２１０の上縁部に笠木１５０を装着することを例示した。防水施工パネル１００で防水シート１４０が表面に装着された立上りの上縁部に、防水シート１４０を固定する固定具(図示せず)を打設し、この固定具に防水シート１４０を接着剤や粘着剤で固定してから、笠木１５０を装着してもよい。
【００５４】
この場合、機械的固定工法で構造物２００の立上り２１０に固定されない防水施工パネル１００の上縁部が固定される。さらに、防水施工パネル１００と防水シート１４０とが固定された端部をコーキング材等で止水してから、笠木１５０を装着してもよい(図示せず)。
【００５５】
さらに、上記形態では防水施工パネル１００を利用して構造物２００の立上り２１０の表面２１１に防水シート１４０を施工することを例示した。しかし、防水施工パネル１００を利用して構造物２００の上面などに防水シート１４０を施工してもよい。
【００５６】
また、上記形態では立上り２１０の表面２１１に防水シート１４０を施工し、別個の防水シートを構造物２００の上面に施工することを想定した(図示せず)。しかし、これらの防水シートを一体としてもよい。
【００５７】
さらに、上記形態では、構造物２００の立上り２１０の表面２１１に防水施工パネル１００を一対のディスク部材３１０および一対の固定ビス３２０で機械的固定工法により固定することを例示した。
【００５８】
しかし、防水施工パネル１００が小型の場合には一個のディスク部材３１０と一個の固定ビス３２０で固定してもよく、大型の場合には四個以上のディスク部材３１０と四個以上の固定ビス３２０で固定してもよい(図示せず)。
【００５９】
なお、当然ながら、上述した実施の形態および複数の変形例は、その内容が相反しない範囲で組み合わせることができる。また、上述した実施の形態および変形例では、各部の構造などを具体的に説明したが、その構造などは本願発明を満足する範囲で各種に変更することができる。
【符号の説明】
【００６０】
１００    防水施工パネル
１１０    パネル本体
１２０    シート固定層
１３０    離型シート
１４０    防水シート
１５０    笠木
１６０    防水シート
２００    構造物
２１０    立上り
２１１    表面
３１０    ディスク部材
３２０    固定ビス
【図１】
0005651846.tif 000002
【図２】
0005651846.tif 000003
【図３】
0005651846.tif 000004
【図４】
0005651846.tif 000005
【図５】
0005651846.tif 000006
【図６】
0005651846.tif 000007
【図７】
0005651846.tif 000008